(57)【特許請求の範囲】
【請求項１】
光源を備え、入力映像信号に基づいて前記光源からの光を空間的に変調することで得られた複数の画素からなる画像が表示される画像表示装置であって、
前記光源に電力を供給する電源部と、
前記光源を冷却する冷却ファンと、
前記冷却ファンを駆動する駆動部と、
前記入力映像信号として供給される前記画像の画素の輝度値に基づいて、前記入力映像信号が明るい画像と暗い画像のいずれを示すかを判定する映像判定部と、
前記駆動部を介して前記冷却ファンの回転を制御するとともに、前記電源部による前記光源への電力供給を制御する制御部と、を有し、
前記制御部は、
前記映像判定部にて前記入力映像信号が明るい画像を示すと判定された場合は、前記電源部の出力が第１の電力値とされる第１の点灯モードを設定し、前記映像判定部にて前記入力映像信号が暗い画像を示すと判定された場合は、前記電源部の出力が前記第１の電力値より小さな第２の電力値とされる第２の点灯モードを設定し、
前記電源部の出力を前記第２の電力値から前記第１の電力値まで一定の割合で増大させた場合の、前記電源部の電力値と前記冷却ファンの回転数との対応関係を示すデータが予め設定された第１のテーブルを保持しており、前記第２の点灯モードから前記第１の点灯モードへ切り替える場合は、前記電源部の出力を前記第１の電力値まで一定の割合で増大させるとともに、前記第１のテーブルを参照して、前記電源部の電力値に応じて前記冷却ファンの回転を制御し、
前記電源部の出力を前記第１の電力値から前記第２の電力値まで一定の割合で減少させた場合の、前記電源部の電力値と前記冷却ファンの回転数との対応関係を示すデータが予め設定された第２のテーブルを保持しており、前記第１の点灯モードから前記第２の点灯モードへ切り替える場合は、前記電源部の出力を前記第２の電力値まで一定の割合で減少させるとともに、前記第２のテーブルを参照して、前記電源部の電力値に応じて前記冷却ファンの回転を制御し、
前記第１の点灯モードで設定される前記冷却ファンの回転数として第１の設定値を保持しており、前記第１のテーブルを参照した前記冷却ファンの回転制御において、前記電源部の出力が前記第１の電力値に達する前に、前記冷却ファンの回転数を前記第１の設定値より高い回転数まで一定の割合で増大させ、その後、前記第１の設定値の回転数まで減少させる、画像表示装置。
【請求項２】
前記制御部は、前記第２の点灯モードで設定される前記冷却ファンの回転数として前記第１の設定値より小さな第２の設定値を保持しており、前記第２のテーブルを参照した前記冷却ファンの回転制御において、前記電源部の出力が前記第２の電力値に達する前に、前記冷却ファンの回転数を前記第２の設定値以下の回転数まで一定の割合で減少させる、請求項１に記載の画像表示装置。
【請求項３】
前記光源、前記駆動部、前記映像判定部、前記冷却ファンおよび前記制御部を収容する筐体と、
前記筐体に設けられ、前記筺体内への吸気および前記筺体外への排気を行う複数の別のファンと、
前記複数の別のファンをそれぞれ駆動する複数の別の駆動部と、をさらに有し、
前記制御部は、前記複数の別の駆動部を介して前記複数の別のファンを前記第１の設定値と同じ回転数で回転させる、請求項１または２に記載の画像表示装置。
【請求項４】
前記第２の点灯モードから前記第１の点灯モードへ切り替える場合で、前記電源部の出力が前記第１の電力値に達する前に、前記映像判定部にて前記入力映像信号が暗い画像を示すと判定された場合は、前記制御部は、前記電源部の出力が前記第１の電力値に達した後に、前記電源部の出力を前記第２の電力値まで一定の割合で減少させるとともに、前記第２のテーブルを参照して前記冷却ファンの回転を制御する、請求項１から３のいずれかに記載の画像表示装置。
【請求項５】
前記第１の点灯モードから前記第２の点灯モードへ切り替える場合で、前記電源部の出力が前記第２の電力値に達する前に、前記映像判定部にて前記画像が明るいと判定されると、前記制御部は、前記電源部の出力を前記第１の電力値まで一定の割合で増大させるとともに、前記第１のテーブルを参照して前記冷却ファンの回転を制御する、請求項１から４のいずれかに記載の画像表示装置。
【請求項６】
前記第２の点灯モードから前記第１の点灯モードへ切り替える場合の、前記電源部の出力を前記第２の電力値まで増大させる場合の割合が、前記第１の点灯モードから前記第２の点灯モードへ切り替える場合の、前記電源部の出力を前記第１の電力値まで減少させる割合よりも大きい、請求項１から５のいずれかに記載の画像表示装置。
【請求項７】
前記映像判定部は、前記入力映像信号からフレーム毎に前記画像の各画素の輝度値の分布を示すヒストグラムを作成し、該ヒストグラムの所定輝度値以上の部分の前記画像全体における割合が閾値を超える場合に、前記入力映像信号が明るい画像を示すと判定し、該割合が閾値以下である場合に、前記入力映像信号が暗い画像を示すと判定する、請求項１から６のいずれかに記載の画像表示装置。
【請求項８】
光源と、光源に電力を供給する電源部と、前記光源を冷却する冷却ファンと、を備え、入力映像信号に基づいて前記光源からの光を空間的に変調することで得られた複数の画素からなる画像が表示される画像表示装置にて行われる光源冷却方法であって、
前記入力映像信号として与えられる前記画像の画素の輝度値に基づいて、前記入力映像信号が明るい画像と暗い画像のいずれを示すかの映像判定を行い、
前記映像判定の結果に応じて、前記電源部の出力が第１の電力値とされる第１の点灯モードと、前記電源部の出力が前記第１の電力値より小さな第２の電力値とされる第２の点灯モードとの切り替えを行い、
前記第２の点灯モードから前記第１の点灯モードへ切り替える場合は、前記電源部の出力を前記第１の電力値まで一定の割合で増大させるとともに、前記電源部の出力を前記第２の電力値から前記第１の電力値まで一定の割合で増大させた場合の、前記電源部の電力値と前記冷却ファンの回転数との対応関係を示すデータが予め設定された第１のテーブルを参照して、前記電源部の電力値に応じて前記冷却ファンの回転を制御し、
前記第１の点灯モードから前記第２の点灯モードへ切り替える場合は、前記電源部の出力を前記第２の電力値まで一定の割合で減少させるとともに、前記電源部の出力を前記第１の電力値から前記第２の電力値まで一定の割合で減少させた場合の、前記電源部の電力値と前記冷却ファンの回転数との対応関係を示すデータが予め設定された第２のテーブルを参照して、前記電源部の電力値に応じて前記冷却ファンの回転を制御し、
前記第１の点灯モードで設定される前記冷却ファンの回転数として第１の設定値を保持し、前記第１のテーブルを参照した前記冷却ファンの回転制御において、前記電源部の出力が前記第１の電力値に達する前に、前記冷却ファンの回転数を前記第１の設定値より高い回転数まで一定の割合で増大させ、その後、前記第１の設定値の回転数まで減少させる、光源冷却方法。
【発明の詳細な説明】
【技術分野】
【０００１】
本発明は、高圧水銀灯等の光源を備える画像表示装置に関する。
【背景技術】
【０００２】
液晶ディスプレイやプロジェクタなどの画像表示装置において、高圧水銀灯等の光源が用いられている。高圧水銀灯は、ガラス管内に水銀やガスなどを封入した構造を備えており、温度が上がり過ぎると、ガラス管が破裂したり、ガラス管を形成する石英が変質して透過率が低下したりする。このため、高圧水銀灯を光源として用いる画像表示装置では、通常、光源を冷却するための冷却ファンを備える。【０００３】
高圧水銀灯等の光源を備える最近のプロジェクタには、光源に供給される電力を最大電力の数十％程度（例えば７５％〜８０％程度）まで低減させる省エネルギーモードを設定できるものがある。この省エネルギーモードは、例えばプロジェクタに設けられた特定のボタンを押下することで設定される。【０００４】
一般に、光源に供給される電力が少ないほど、光源の温度は低くなる。省エネルギーモードでは、光源を最大電力で点灯させる通常モードに比較して、光源に供給される電力を少なくすることができるので、その分、光源の温度上昇を抑制することができ、光源の寿命を延ばすことができる。【０００５】
しかし、上記のような省エネルギーモードを備えるプロジェクタには、以下のような問題がある。【０００６】
高圧水銀灯等の光源は、温度が下がり過ぎると、ガラス管内面への水銀付着による黒化現象が生じることが知られている。【０００７】
省エネルギーモードでは、通常モードと比較して、光源の温度がさほど上昇しないため、通常モードと同じように冷却ファンで光源を冷却すると、光源が過剰に冷却されてしまい、その結果、黒化現象が生じる。【０００８】
したがって、省エネルギーモードを設定した場合は、黒化現象を抑制するために冷却ファンからの送風量を下げる必要がある。【０００９】
省エネルギーモードによる光源の温度変化を考慮した技術が特許文献１に開示されている。【００１０】
特許文献１に記載の投射型表示装置は、光源と、シロッコファンと、シロッコファンからの冷却風を光源まで導くダクトとを有する。ダクト内には、送風量を調整するための風量制御板が回転可能に支持されている。風量制御板の角度が変化すると、ダクト内の開口面積が変化し、それによりダクト内を流れる送風量が増減する。風量制御板は、スライドスイッチと連動して回転するようになっている。ユーザは、スライドスイッチを操作することにより、風量制御板の角度を調整することができる。【００１１】
上記の投射型表示装置では、節電モード（上記の省エネルギーモードに対応する）が設定された場合は、ユーザがスライドスイッチを操作することで、シロッコファンからダクトを介して光源へ供給される送風量を少なくすることができる。これにより、光源が過剰に冷却されることを抑制することができる。
【先行技術文献】
【特許文献】
【００１２】
【特許文献１】特開２００５−１８２０８７号公報
【発明の開示】
【００１３】
映像信号に基づく画像が明るい画像である場合と比較して、映像信号に基づく画像が暗い画像である場合は、光源に供給される電力を低下させたときの画面の明るさに対する違和感は少ない。よって、映像信号を明るい画像と暗い画像のいずれであるかを判定し、その判定結果に応じて、通常モードと省電力モードとの切り替えを行うことで、光源の寿命をさらに延ばすことが可能となる。
【００１４】
しかし、特許文献１に記載の投射型表示装置においては、ユーザがスライドスイッチを操作して送風量を調整するようになっているため、上記の映像判定に基づくモードの切り替えを行った場合には、以下のような問題が生じる。
【００１５】
光源に供給される電力を急激に増減すると、画面の明るさ（スクリーン照度）が急激に変化するため、画面の明るさに対する違和感を観察者に与えてしまう。この違和感を抑制するため、通常は、省エネルギーモードから通常モードへ切り替える場合は、光源に供給される電力を一定の割合で増加させ、通常モードから省エネルギーモードへ切り替える場合は、光源に供給される電力を一定の割合で減少させるといった電力制御が行われる。
【００１６】
冷却ファン（シロッコファン）から光源へ供給される送風量も、モード切り替えに応じて調整する必要がある。具体的には、省エネルギーモードから通常モードへ切り替える場合は、送風量を増大し、通常モードから省エネルギーモードへ切り替える場合は、送風量を減少する。このようなモード切り替えに応じた送風量の調整をスライドスイッチ操作により行うことは、非常に煩わしい。
【００１７】
また、スライドスイッチ操作では、モード切り替え時の電力の増減に応じて、光源の温度が最適な温度範囲内に収まるように送風量を細かく調整することは困難である。このため、モード切り替え時に光源の温度が最適な温度範囲から外れてしまい、その結果、前述したようなガラス管の破裂、透過率の低下、黒化といった問題が生じる。
【００１８】
本発明の目的は、送風量の調整のためのユーザの操作を不要とし、かつ、モード切り替え時におけるガラス管の破裂、透過率の低下、黒化を抑制することができる、画像表示装置および光源冷却方法を提供することにある。
【００１９】
本発明の画像表示装置は、
光源を備え、入力映像信号に基づいて前記光源からの光を空間的に変調することで得られた複数の画素からなる画像が表示される画像表示装置であって、
前記光源に電力を供給する電源部と、
前記光源を冷却する冷却ファンと、
前記冷却ファンを駆動する駆動部と、
前記入力映像信号として供給される前記画像の画素の輝度値に基づいて、前記入力映像信号が明るい画像と暗い画像のいずれを示すかを判定する映像判定部と、
前記駆動部を介して前記冷却ファンの回転を制御するとともに、前記電源部による前記光源への電力供給を制御する制御部と、を有し、
前記制御部は、
前記映像判定部にて前記入力映像信号が明るい画像を示すと判定された場合は、前記電源部の出力が第１の電力値とされる第１の点灯モードを設定し、前記映像判定部にて前記入力映像信号が暗い画像を示すと判定された場合は、前記電源部の出力が前記第１の電力値より小さな第２の電力値とされる第２の点灯モードを設定し、
前記電源部の出力を前記第２の電力値から前記第１の電力値まで一定の割合で増大させた場合の、前記電源部の電力値と前記冷却ファンの回転数との対応関係を示すデータが予め設定された第１のテーブルを保持しており、前記第２の点灯モードから前記第１の点灯モードへ切り替える場合は、前記電源部の出力を前記第１の電力値まで一定の割合で増大させるとともに、前記第１のテーブルを参照して、前記電源部の電力値に応じて前記冷却ファンの回転を制御し、
前記電源部の出力を前記第１の電力値から前記第２の電力値まで一定の割合で減少させた場合の、前記電源部の電力値と前記冷却ファンの回転数との対応関係を示すデータが予め設定された第２のテーブルを保持しており、前記第１の点灯モードから前記第２の点灯モードへ切り替える場合は、前記電源部の出力を前記第２の電力値まで一定の割合で減少させるとともに、前記第２のテーブルを参照して、前記電源部の電力値に応じて前記冷却ファンの回転を制御する。
【００２０】
本発明の光源冷却方法は、
光源と、光源に電力を供給する電源部と、前記光源を冷却する冷却ファンと、を備え、入力映像信号に基づいて前記光源からの光を空間的に変調することで得られた複数の画素からなる画像が表示される画像表示装置にて行われる光源冷却方法であって、
前記入力映像信号として与えられる前記画像の画素の輝度値に基づいて、前記入力映像信号が明るい画像と暗い画像のいずれを示すかの映像判定を行い、
前記映像判定の結果に応じて、前記電源部の出力が第１の電力値とされる第１の点灯モードと、前記電源部の出力が前記第１の電力値より小さな第２の電力値とされる第２の点灯モードとの切り替えを行い、
前記第２の点灯モードから前記第１の点灯モードへ切り替える場合は、前記電源部の出力を前記第１の電力値まで一定の割合で増大させるとともに、前記電源部の出力を前記第２の電力値から前記第１の電力値まで一定の割合で増大させた場合の、前記電源部の電力値と前記冷却ファンの回転数との対応関係を示すデータが予め設定された第１のテーブルを参照して、前記電源部の電力値に応じて前記冷却ファンの回転を制御し、
前記第１の点灯モードから前記第２の点灯モードへ切り替える場合は、前記電源部の出力を前記第２の電力値まで一定の割合で減少させるとともに、前記電源部の出力を前記第１の電力値から前記第２の電力値まで一定の割合で減少させた場合の、前記電源部の電力値と前記冷却ファンの回転数との対応関係を示すデータが予め設定された第２のテーブルを参照して、前記電源部の電力値に応じて前記冷却ファンの回転を制御することを含む。
【図面の簡単な説明】
【００２１】
【図１】本発明の第１の実施形態である画像表示装置の構成を示すブロック図である。
【図２】図１に示す画像表示装置のランプ／ファン制御の一手順を示すフローチャートである。
【図３】本発明の第２の実施形態である画像表示装置の構成を示すブロック図である。
【図４】図３に示す画像表示装置にて行われる、ランプ電力制御およびファン回転数制御のタイミングとそれら制御によるランプ温度の変化を説明するための図である。
【図５】比較例である画像表示装置にて行われる、ランプ電力制御およびファン回転数制御のタイミングとそれら制御によるランプ温度の変化を説明するための図である。
【図６】図３に示す画像表示装置にて行われる第１のランプ／ファン制御を説明するための図である。
【図７】図３に示す画像表示装置にて行われる第２のランプ／ファン制御を説明するための図である。
【図８】２５６階調の画像データのヒストグラムの一例を示す模式図である。
【符号の説明】
【００２２】
１  制御部
２  電源部
３  光源
４  冷却ファン
５  入力部
６  駆動部
１１  入力端子部
１２  映像処理部
１２ａ  映像判定部
１３  映像表示部
【発明を実施するための最良の形態】
【００２３】
次に、本発明の実施形態について図面を参照して説明する。【００２４】
（第１の実施形態）
図１は、本発明の第１の実施形態である画像表示装置の構成を示すブロック図である。【００２５】
図１を参照すると、画像表示装置は、制御部１、電源部２、光源３、冷却ファン４、入力部５、駆動部６、入力端子部１１、映像処理部１２および映像表示部１３を有する。【００２６】
光源３は、高圧水銀灯等である。電源部２は、光源３に電力を供給する。冷却ファン４は、光源３を冷却する。駆動部６は、冷却ファン４を駆動するものであって、具体的には冷却ファン４に電圧を供給する。【００２７】
映像表示部１３は、例えば、光源３からの光が照射される表示素子と、表示素子で生成された画像を投射する投射部とを有する。表示素子は、例えば液晶パネルやＤＭＤなどである。【００２８】
映像信号は、外部映像供給装置から入力端子部１１を介して映像処理部１２に供給される。外部映像供給装置は、例えばパーソナルコンピュータ等の情報処理装置である。【００２９】
映像処理部１２は、入力端子部１１から供給された映像信号に対して映像表示部１３での表示に必要な処理を行う。映像処理部１２は、入力端子部１１を介して映像信号として供給される上記表示素子の画素の輝度値に基づいて、映像信号が明るい画像と暗い画像のいずれであるかを判定する映像判定部１２ａを有する。映像判定部１２ａの判定はフレーム単位に実行され、その判定結果が制御部１に供給される。【００３０】
ここで、暗い画像とは、例えば、各画素の輝度値の分布を示すヒストグラムにおいて、高階調側の部分（例えば、２５６階調の画像のヒストグラムの場合は、２５１〜２５５階調の部分）の画像全体における割合が閾値（例えば２％）以下であることを示す。明るい画像は、割合が閾値を超える画像である。あるいは、平均画像レベル（ＡＰＬ）が閾値以下の画像を暗い画像とし、平均画像レベルが閾値を超える画像を明るい画像としてもよい。【００３１】
入力部５は、複数のボタンを有する。使用者は、これらボタンのうちの特定のボタンまたは複数のボタンを用いた入力操作によって、自動省エネルギーモードを設定することができる。【００３２】
自動省エネルギーモードでは、映像判定部１２ａの判定結果に応じて、電源部２の出力が第１の電力値とされる第１の点灯モード（例えば通常モード）と電源部２の出力が第１の電力値より小さな第２の電力値とされる第２の点灯モード（すなわち、省エネルギーモード）とのモード切り替えが自動的に行われる。第１の電力値は、例えば最大電力値である。第２の電力値は、最大電力よりも低い値であって、例えば、最大電力の７５％程度の値である。【００３３】
入力部１４は、自動省エネルギーモードを指定する入力を受け付けると、その旨を示す指示信号を出力する。入力部１４は、自動省エネルギーモードを解除する入力を受け付けると、その旨を示す指示信号を出力する。【００３４】
制御部１は、駆動部６を介して冷却ファン４の回転を制御するとともに、電源部２による光源３への電力供給を制御する。【００３５】
自動省エネルギーモードにおいて、制御部１は、映像判定部１２ａにて映像信号が明るい画像であると判定された場合は第１の点灯モードを設定し、映像判定部１２ａにて映像信号が暗い画像であると判定された場合は第２の点灯モードを設定する。【００３６】
制御部１は、電源部２の出力が第２の電力値から第１の電力値まで一定の割合で増大した場合の、電源部２の電力値と冷却ファン４の回転数との対応関係を示すデータが予め設定された第１のテーブルを保持している。第２の点灯モードから第１の点灯モードへ切り替える場合は、制御部１は、電源部２の出力を第１の電力値まで一定の割合で増大させるとともに、第１のテーブルを参照して、電源部２の電力値に応じて冷却ファン４の回転を制御する。【００３７】
制御部１は、電源部２の出力が第１の電力値から第２の電力値まで一定の割合で減少した場合の、電源部２の電力値と冷却ファン４の回転数との対応関係を示すデータが予め設定された第２のテーブルを保持している。第１の点灯モードから第２の点灯モードへ切り替える場合は、制御部１は、電源部２の出力を第２の電力値まで一定の割合で減少させるとともに、第２のテーブルを参照して、電源部２の電力値に応じて冷却ファン４の回転を制御する。【００３８】
次に、本実施形態の画像表示装置にて行われる光源冷却方法を説明する。【００３９】
図２は、本実施形態の画像表示装置のランプ／ファン制御の一手順を示すフローチャートである。【００４０】
まず、制御部１は、自動省エネルギーモードが指定されたことを示す指示信号を入力部５から受け付けたか否かを判定する（ステップＳ１１）。【００４１】
自動省エネルギーモードが指定されたことを示す指示信号を入力部５から受け付けると、制御部１は、映像判定部１２ａから、映像信号が暗い画像と明るい画像のいずれであるかを示す判定結果を受信する（ステップＳ１２）。【００４２】
映像信号が明るい画像であることを示す判定結果を映像判定部１２ａから受信した場合は、制御部１は、電源部２の出力を第１の電力値まで一定の割合で増大させるとともに、第１のテーブルを参照し、電源部２の電力値に応じて冷却ファン４の回転を制御する（ステップＳ１３）。このステップＳ１３の処理を経て、モードは第１の点灯モードに切り替わる。【００４３】
映像信号が暗い画像であることを示す判定結果を映像判定部１２ａから受信した場合は、制御部１は、電源部２の出力を第２の電力値まで一定の割合で減少させるとともに、第２のテーブルを参照し、電源部２の電力値に応じて冷却ファン４の回転を制御する（ステップＳ１４）。このステップＳ１４の処理を経て、モードは第２の点灯モードに切り替わる。【００４４】
ステップＳ１３またＳ１４の処理の後、制御部１は、自動省エネルギーモードが解除されたことを示す指示信号を入力部５から受け付けたか否かを判定する（ステップＳ１５）。自動省エネルギーモードが解除されたことを示す指示信号を入力部５から受信するまで、制御部１は、ステップＳ１２〜Ｓ１４の処理を繰り返し実行する。【００４５】
以上のランプ／ファン制御の処理によれば、映像信号が明るい画像と暗い画像のいずれを示すものであるかの判定結果に応じて、第１および第２の点灯モードの切り替えが自動的に行われる。【００４６】
第１の点灯モードから第２の点灯モードへ移行する際は、第２のテーブルを参照したファン制御が行われる。これにより、光源３の温度は、所定の温度範囲内に維持される。一方、第２の点灯モードから第１の点灯モードへ移行する際は、第１のテーブルを参照したファン制御が行われる。これにより、光源３の温度は、所定の温度範囲内に維持される。【００４７】
このように、モード切り替えの際に第１および第２のテーブルを参照したファン制御が自動的に行われるので、送風量の調整のためのユーザによる操作は不要である。【００４８】
加えて、上記の第１および第２のテーブルを参照したファン制御によれば、モード切り替え時の光源３の温度を所定の温度範囲内に維持することができるので、ガラス管の破裂、透過率の低下、黒化を抑制することができる。【００４９】
また、光源に供給される電力を急激に増減すると、画面の明るさ（スクリーン照度）が急激に変化するため、画面の明るさに対する違和感を観察者に与えてしまう。本実施形態では、モード切り替えの際は、光源３に供給される電力を一定の割合で増減するため、そのような違和感を抑制することができる。【００５０】
さらに、自動省エネルギーモードにおいて、映像信号が暗い画像である場合は、第２の点灯モード（省エネルギーモード）で光源３を点灯させることで、光源の寿命を延ばすことができる。【００５１】
なお、第２の点灯モードでは、第１の点灯モードに比較して画面が暗くなるが、第１の電力値と第２の電力値との差が小さい場合は、観察者に対して、画面の明るさに対する違和感をさほど与えずに、表示画像を観察することができる。【００５２】
第１の電力値と第２の電力値との差が大きい場合は、画面の明るさに対する違和感を観察者に与えてしまう場合がある。この場合は、コントラスを上げる（映像信号の振幅を大きくする）などの処理を行うことで、そのような違和感を抑制することができる。【００５３】
具体的には、映像判定部１２ａにて映像信号が明るい画像であると判定された場合に、制御部１が、電源部２の出力を第１の電力値まで増大させ、電源部２の出力が第１の電力値に達した時点で、第２の点灯モードから第１の点灯モードに切り替わった旨を示すモード切替信号を映像処理部１２に供給する。映像処理部１２は、制御部１からのモード切替信号を受信すると、入力端子部１１からの映像信号の振幅を第１の振幅値まで減少する。【００５４】
また、映像判定部１２ａにて映像信号が暗い画像であると判定された場合に、制御部１が、電源部２の出力を第２の電力値まで減少させ、電源部２の出力が第２の電力値に達した時点で、第１の点灯モードから第２の点灯モードに切り替わった旨を示すモード切替信号を映像処理部１２に供給する。映像処理部１２は、制御部１からのモード切替信号を受信すると、入力端子部１１からの映像信号の振幅を第２の振幅値まで増大する。ここで、第２の振幅値は、第１の振幅値より大きい。【００５５】
本実施形態の画像表示装置において、制御部１は、第１の点灯モードで設定される冷却ファン４の回転数として第１の設定値を保持し、第１のテーブルを参照したファン制御として、電源部２の出力が第１の電力値に達する前に、冷却ファン４の回転数を第１の設定値より高い回転数まで一定の割合で増大させ、その後、第１の設定値の回転数まで減少させる制御を行ってもよい。【００５６】
また、制御部１は、第２の点灯モードで設定される冷却ファン４の回転数として第１の設定値より小さな第２の設定値を保持し、第２のテーブルを参照したファン制御として、電源部２の出力が第２の電力値に達する前に、冷却ファン４の回転数を第２の設定値以下の回転数まで一定の割合で減少させる制御を行ってもよい。【００５７】
さらに、第２の点灯モードから第１の点灯モードへ切り替える場合で、電源部２の出力が第１の電力値に達する前に、映像判定部１２ａにて映像信号が暗い画像であると判定された場合は、制御部１は、電源部２の出力が第１の電力値に達し、かつ、冷却ファン４の回転数が第１の設定値の回転数に達した後に、電源部２の出力を第２の電力値まで一定の割合で減少させるとともに、第２のテーブルを参照したファン制御を行ってもよい。【００５８】
さらに、第１の点灯モードから第２の点灯モードへ切り替える場合で、電源部２の出力が第２の電力値に達する前に、映像判定部１２ａにて映像信号が明るい画像であると判定された場合は、制御部１は、電源部２の出力を第１の電力値まで一定の割合で増大させるとともに、第１のテーブルを参照したファン制御を行ってもよい。【００５９】
また、第２の点灯モードから第１の点灯モードへ切り替える場合の電源部２の出力を増大させる割合は、第１の点灯モードから第２の点灯モードへ切り替える場合の電源部２の出力を減少させる割合と同じであってもよく、また、それより大きくてもよい。【００６０】
（第２の実施形態）
図３は、本発明の第２の実施形態である画像表示装置の構成を示すブロック図である。【００６１】
図３を参照すると、画像表示装置は、入力端子部１１、映像処理部１２、映像表示部１３、入力部１４、ＣＰＵ（Central  Processing  Unit）１５、ランプ制御部２１、ファン制御部２２、ファン回転検出部２３、ランプ用電源３０、ランプ３１、駆動部４０1〜４０n、およびファン４１1〜４１nを有する。【００６２】
入力端子部１１、映像処理部１２および映像表示部１３は、図１に示したものと同じである。映像表示部１３は、図１に示した映像判定部１２ａを含む。本実施形態では、映像判定部１２ａは、フレーム単位に、映像信号から各画素の輝度値の分布を示すヒストグラム（２５６階調の画像のヒストグラム）を作成し、高階調側の部分（２５１〜２５５階調の部分）の画像全体における割合が閾値（例えば２％）以下である場合は、暗い画像であると判定し、割合が閾値を超える場合は、明るい画像であると判定する。この判定結果は、ＣＰＵ１５に供給される。ここで、閾値は適宜に設定することができる。【００６３】
ランプ３１は、高圧水銀灯等である。ランプ用電源３０は、ランプ３１に電力を供給する。ランプ制御部２１は、ＣＰＵ１５からのランプ制御信号に従って、ランプ用電源３０によるランプ３１への電力供給を制御する。具体的には、ランプ制御部２１は、電力供給制御信号であるオン／オフ信号および電力値を示す電力指定信号を出力する。【００６４】
ファン４１1〜４１nは、入力電圧に応じて回転数が変化するものであって、自身の回転数を示す回転信号を出力する。ファン４１nは、ランプ３１を冷却する。残りのファン４１1〜４１n-1は、例えば排気ファンや吸気ファンなどである。排気ファンおよび吸気ファンは、映像処理部１２、映像表示部１３、ＣＰＵ１５、ランプ制御部２１、ファン制御部２２、ファン回転検出部２３、ランプ用電源３０、ランプ３１、駆動部４０1〜４０nなどを収容する筐体に設けられる。【００６５】
駆動部４０1〜４０nは、ファン４１1〜４１nと一対一対応で設けられている。駆動部４０1〜４０n-1はそれぞれ、ファン制御部２２からの第１の電圧制御信号に従ってファン４１1〜４１n-1のうちの対応するファンに電圧を供給する。駆動部４０nは、ファン制御部２２からの第２の電圧制御信号に従ってファン４１nに電圧を供給する。すなわち、ファン４１1〜４１n-1の制御系とファン４１nの制御系は独立している。【００６６】
ファン制御部２２は、ＣＰＵ１５からのファン制御信号に従って、駆動部４０1〜４０n-1のそれぞれに第１の電圧制御信号を供給するとともに、駆動部４０nに第２の電圧制御信号を供給する。【００６７】
ファン４１1〜４１nから出力された回転信号はそれぞれファン回転検出部２３に供給されている。ファン回転検出部２３は、ファン４１1〜４１nからの回転信号に基づいてそれぞれのファンの回転数を検出し、その検出結果をファン制御部２２に供給する。【００６８】
ファン制御部２２は、ファン回転検出部２３から供給されるファン４１nの回転数がＣＰＵ１５からのファン制御信号にて指定された回転数となるように駆動部４０nの出力を増減させる。【００６９】
また、ファン制御部２２は、ファン回転検出部２３から供給されるファン４１1〜４１n-1の各回転数の平均値またはいずれかの回転数がＣＰＵ１５からのファン制御信号にて指定された回転数となるように駆動部４０1〜４０n-1の出力を増減させる。【００７０】
ファン４１1〜４１n-1の各回転数は一律に制御されるが、ファン４１nの回転数はファン４１1〜４１n-1とは独立して制御される。【００７１】
入力部１４は、複数のボタンを有する。使用者は、これらボタンのうちの特定のボタンまたは複数のボタンを用いた入力操作によって、前述した自動省エネルギーモードを設定することができる。入力部１４は、自動省エネルギーモードを指定する入力を受け付けると、その旨を示す指示信号を出力する。入力部１４は、自動省エネルギーモードを解除する入力を受け付けると、その旨を示す指示信号を出力する。【００７２】
ここでは、自動省エネルギーモードは、７５％点灯モードと通常モードとを自動的に切り替えるモードである。通常モードでは、ランプ用電源３０の出力が第１の電力値とされ、７５％点灯モードでは、ランプ用電源３０の出力が第２の電力値とされる。第１の電力値は、最大電力値であり、第２の電力値は、最大電力の７５％の電力値である。【００７３】
ＣＰＵ１５は、入力部１４からの指示信号に従って、ファン制御部２２を介して駆動部４０1〜４０nによるファン４１1〜４１nへの電圧供給を制御するとともにランプ制御部２２を介してランプ用電源３０によるランプ３１への電力供給を制御する。【００７４】
入力部１４から自動省エネルギーモードが指定されたことを示す指示信号を受け付けると、ＣＰＵ１５は、前述の図２に示したようなランプ／ファン制御を、ランプ制御部２１およびファン制御部２２にて実行させる。【００７５】
具体的には、ＣＰＵ１５は、ランプ用電源３０の出力が第２の電力値（７５％）から第１の電力値（最大電力値）まで一定の割合で増大した場合の、ランプ用電源３０の電力値とファン４１nの回転数との対応関係を示すデータが予め設定された第１のテーブルを保持している。ＣＰＵ１５は、ランプ用電源３０の出力が第１の電力値（最大電力値）から第２の電力値（７５％）まで一定の割合で減少した場合の、ランプ用電源３０の電力値とファン４１nの回転数との対応関係を示すデータが予め設定された第２のテーブルを保持している。【００７６】
自動省エネルギーモードにおいて、ＣＰＵ１５は、予め設定された回転数（例えば３９７０ｒｐｍ）でファン４１1〜４１n-1を駆動するためのファン制御信号をファン制御部２２に供給する。【００７７】
通常モードにおいて、ＣＰＵ１５は、第１の設定値の回転数（例えば３９７０ｒｐｍ）でファン４１nを駆動するためのファン制御信号をファン制御部２２に供給する。【００７８】
７５％点灯モードにおいて、ＣＰＵ１５は、第２の設定値の回転数（例えば１８６６ｒｐｍ）でファン４１nを駆動するためのファン制御信号をファン制御部２２に供給する。第１の実施形態では、第２の設定値は例えば１９２０ｒｐｍとされるが、本実施形態では、自動省エネルギーモードの期間は吸気ファンおよび排気ファンが例えば３９７０ｒｐｍで回転しており、それによりランプ３１が冷却されるので、第２の設定値は１９２０ｒｐｍより低くなるように設定されている。なお、本実施形態において、第２の設定値を第１の実施形態と同じように１９２０ｒｐｍに設定すると、ランプ３１が過剰に冷却される場合がある。【００７９】
７５％点灯モードから通常モードに切り替える場合は、ＣＰＵ１５は、ランプ用電源３０の出力を第１の電力値（最大電力値）まで一定の割合で増大させるためのランプ制御信号をランプ制御部２１に供給するとともに、第１のテーブルを参照し、ランプ用電源３０の電力値に応じた回転数でファン４１nを駆動するためのファン制御信号をファン制御部２２に供給する。【００８０】
通常モードから７５％点灯モードに切り替える場合は、ＣＰＵ１５は、ランプ用電源３０の出力を第２の電力値（７５％）まで一定の割合で減少させるためのランプ制御信号をランプ制御部２１に供給するとともに、第２のテーブルを参照し、ランプ用電源３０の電力値に応じた回転数でファン４１nを駆動するためのファン制御信号をファン制御部２２に供給する。【００８１】
また、自動省エネルギーモードにおいて、映像判定部１２ａにて映像信号が明るい画像であると判定された場合に、ＣＰＵ１５が、ランプ電源３０の出力を第１の電力値（最大電力）まで増大させ、ランプ電源３０の出力が第１の電力値（最大電力）に達した時点で、７５％点灯モードから通常モードに切り替わった旨を示すモード切替信号を映像処理部１２に供給する。映像処理部１２は、ＣＰＵ１５からのモード切替信号を受信すると、入力端子部１４からの映像信号の振幅を第１の振幅値まで減少する。【００８２】
映像判定部１２ａにて映像信号が暗い画像であると判定された場合に、ＣＰＵ１５が、ランプ電源３０の出力を第２の電力値（７５％）まで減少させ、ランプ電源３０の出力が第２の電力値（７５％）に達した時点で、通常モードから７５％点灯モードに切り替わった旨を示すモード切替信号を映像処理部１２に供給する。映像処理部１２は、ＣＰＵ１５からのモード切替信号を受信すると、入力端子部１４からの映像信号の振幅を第２の振幅値まで増大する。ここで、第２の振幅値は、第１の振幅値より大きい。【００８３】
上記の振幅制御により、通常モードから７５％点灯モードに切り替わった後は、映像信号の振幅が増大し、その結果、コントラストが高くなる。一方、７５％点灯モードから通常モードに切り替わった後は、映像信号の振幅が減少し、その結果、コントラストが低くなる。【００８４】
次に、本実施形態の画像表示装置のランプ／ファン制御の動作を具体的に説明する。【００８５】
本実施形態におけるランプ／ファン制御も、前述の図２に示した手順と基本的には同じである。【００８６】
まず、ＣＰＵ１５は、自動省エネルギーモードが指定されたことを示す指示信号を入力部１４から受け付けたか否かを判定する。【００８７】
自動省エネルギーモードが指定されたことを示す指示信号を入力部１４から受け付けると、ＣＰＵ１５は、映像判定部１２ａを起動させるとともに、予め設定された回転数（例えば３９７０ｒｐｍ）でファン４１1〜４１n-1を駆動するためのファン制御信号をファン制御部２２に供給する。これにより、映像判定部１２ａによる映像判定が開始されるとともに、ファン４１1〜４１n-1の回転数が３９７０ｒｐｍで固定される。【００８８】
次に、ＣＰＵ１５は、映像判定部１２ａから、映像信号が暗い画像と明るい画像のいずれであるかを示す判定結果を受信する。【００８９】
映像信号が明るい画像であることを示す判定結果を映像判定部１２ａから受信した場合は、ＣＰＵ１５は、ランプ用電源３０の出力を第１の電力値（最大電力値）まで一定の割合で増大させるためのランプ制御信号をランプ制御部２１に供給するとともに、第１のテーブルを参照し、ランプ用電源３０の電力値に応じた回転数でファン４１nを駆動するためのファン制御信号をファン制御部２２に供給する。この制御を経て、モードは通常モードに切り替わる。【００９０】
映像信号が暗い画像であることを示す判定結果を映像判定部１２ａから受信した場合は、ＣＰＵ１５は、ランプ用電源３０の出力を第２の電力値（７５％）まで一定の割合で減少させるためのランプ制御信号をランプ制御部２１に供給するとともに、第２のテーブルを参照し、ランプ用電源３０の電力値に応じた回転数でファン４１nを駆動するためのファン制御信号をファン制御部２２に供給する。この制御を経て、モードは７５％点灯モードに切り替わる。【００９１】
次に、ＣＰＵ１５は、自動省エネルギーモードが解除されたことを示す指示信号を入力部１４から受け付けたか否かを判定する。【００９２】
自動省エネルギーモードが解除されたことを示す指示信号を入力部１４から受け付けると、ＣＰＵ１５は、映像判定部１２ａを停止するとともに、ファン４１1〜４１n-1を停止するためのファン制御信号をファン制御部２２に供給する。この後、ＣＰＵ１５は、入力部１４からの指示信号に指定がって、ファン４１1〜４１n-1を所定の回転数で駆動するためのファン制御信号をファン制御部２２に供給する。【００９３】
上述したランプ／ファン制御の動作によっても、第１の実施形態と同様の効果を得ることができる。【００９４】
以下、具体的な効果を、比較例を挙げて説明する。【００９５】
図４は、本実施形態の画像表示装置にて行われる、ランプ電力制御およびファン回転数制御のタイミングとそれら制御によるランプ温度の変化を説明するための図である。図４において、映像判定のタイミングを示す図、ランプ電力制御のタイミングを示す図、ファン回転数制御のタイミングを示す図、ランプの温度変化を示す図が上から順番に並べて記載されている。なお、映像判定のタイミングを示す図は、説明を簡単にするために矩形的な変化を示すようなものとして模式的に記載したものであり、実際の変化とは異なる。【００９６】
時刻ｔ１までの期間Ｔ１は、７５％点灯モードとされ、ランプ用電源３０の出力は、最大電力の７５％とされ、ファン４１nの回転数は１８６６ｒｐｍとされている。【００９７】
時刻ｔ１において、映像判定部１２ａにて、映像信号から作成したヒストグラムの高階調部分の割合が閾値を超えたことが検出されると、時刻ｔ１〜時刻ｔ２の期間Ｔ２において、ランプ用電源３０の出力は、７５％から１００％に一定の割合で増大する。期間Ｔ２は例えば５秒である。【００９８】
期間Ｔ２において、第１のテーブルを参照したファン制御が行われる。このファン制御では、ファン４１nの回転数は１８６６ｒｐｍから４７６４ｒｐｍまで一定の割合で上昇する。そして、一定期間、ファン４１nの回転数は４７６４ｒｐｍで維持された後、３９７０ｒｐｍまで一定の割合で低下する。【００９９】
時刻ｔ３において、映像判定部１２ａにて、映像信号から作成したヒストグラムの高階調部分の割合が閾値以下になったことが検出される。【０１００】
時刻ｔ２から時刻ｔ３までの期間Ｔ３は、通常モードとされ、ランプ用電源３０の出力は１００％とされ、ファン４１nの回転数は３９７０ｒｐｍとされている。【０１０１】
時刻ｔ３〜時刻ｔ４の期間Ｔ４において、ランプ用電源３０の出力は、１００％から７５％に一定の割合で減少する。期間Ｔ４は例えば３０秒である。【０１０２】
期間Ｔ４において、第２のテーブルを参照したファン制御が行われる。このファン制御では、ファン４１nの回転数は３９７０ｒｐｍから１８６６ｒｐｍまで一定の割合で減少し、その後、ファン４１nの回転数は１８６６ｒｐｍで維持される。【０１０３】
ランプ３１の温度は、時刻ｔ１まで最適温度Ｔで維持されており、時刻ｔ１から徐々に低下した後、再び上昇し、期間Ｔ３のある時刻で最適温度Ｔになる。時刻ｔ１からのランプ３１の温度低下は僅かである。【０１０４】
また、ランプ３１の温度は、時刻ｔ３から徐々に上昇し、期間Ｔ４のある時刻から徐々に低下し、時刻ｔ４以降に最適温度Ｔになる。時刻ｔ３からのランプ３１の温度上昇は僅かである。【０１０５】
このように、通常モードと７５％点灯モードの間のモード切り替え時におけるランプ３１の温度は、ほぼ最適温度Ｔで維持されるので、ガラス管の破裂、透過率の低下、黒化の問題は生じない。【０１０６】
図５は、比較例である画像表示装置のランプ電力制御およびファン回転数制御のタイミングとそれら制御によるランプ温度の変化を説明するための図である。図５において、映像判定のタイミングを示す図、ランプ電力制御のタイミングを示す図、ファン回転数制御のタイミングを示す図、ランプの温度変化を示す図が上から順番に並べて記載されている。映像判定のタイミングおよびランプ電力制御のタイミングは、図４に示したものと同じである。【０１０７】
比較例では、７５％〜１００％の範囲の電力値と１９２０ｒｐｍ〜３９７０ｒｐｍの範囲のファン回転数との対応関係を示す１つのテーブルを用いて、モード切り替え時のファン制御が行われる。【０１０８】
具体的には、７５％点灯モードから通常モードに切り替える場合は、ランプ用電源３０の出力を７５％〜１００％の範囲で一定の割合で増加するとともに、テーブルを参照し、電力値に応じた回転数となるようにファン４１nの回転を制御する。一方、通常モードから７５％点灯モードに切り替える場合は、ランプ用電源３０の出力を７５％〜１００％の範囲で一定の割合で減少するとともに、テーブルを参照し、電力値に応じた回転数となるようにファン４１nの回転を制御する。【０１０９】
図５を参照すると、時刻ｔ２から、ファンの回転数は１９２０ｒｐｍから一定の割合で上昇し、時刻ｔ３で、ファン４１nの回転数は３９７０ｒｐｍに達する。時刻ｔ２から時刻ｔ３までの期間Ｔ２は５秒である。【０１１０】
時刻ｔ２から時刻ｔ３までの期間Ｔ３では、ファン４１nの回転数は３９７０ｒｐｍで維持される。【０１１１】
時刻３から、ファン４１nの回転数は３９７０ｒｐｍから一定の割合で減少し、時刻ｔ４で、ファン４１nの回転数は１９２０ｒｐｍに達する。時刻ｔ３から時刻ｔ４までの期間Ｔ４は３０秒である。【０１１２】
時刻ｔ４以降は、ファン４１nの回転数は１９２０ｒｐｍで維持される。【０１１３】
ランプ３１の温度は、時刻ｔ１までほぼ最適温度Ｔで維持されている。時刻ｔ１から時刻ｔ２にかけて、ランプ３１の温度は急激に上昇する。時刻ｔ２から、ランプ３１の温度は急激に低下し、期間Ｔ３のある時刻においてランプ３１の温度は最適温度Ｔに達する。その後、時刻ｔ３まで、ランプ３１の温度は最適温度Ｔで維持される。【０１１４】
時刻ｔ３から時刻ｔ４にかけて、ランプ３１の温度は急激に低下する。時刻ｔ４から、ランプ３１の温度は急激に上昇した後、ある時刻からランプ３１の温度はほぼ最適温度Ｔで維持される。【０１１５】
このように、比較例においては、通常モードと７５％点灯モードの間のモード切り替え時におけるランプ３１の温度が急激に変化する。このため、ガラス管の破裂、透過率の低下、黒化の問題が生じる場合がある。【０１１６】
これに対して、本実施形態の画像表示装置では、７５％点灯モードから通常モードに切り替える場合と、通常モードに切り替えるから７５％点灯モード場合とで、異なるテーブルを参照してファン制御を行う。このファン制御によれば、電力上昇時と電力減少時とで異なるファン制御可能である。よって、例えば、図４に示したように、期間Ｔ２において、ランプ用電源３０の出力が１００％に達する前に、速いタイミングでファン回転数を４７６４ｒｐｍまで上昇させ、その後、３９７０ｒｐｍまで低下させるといったことが可能となる。また、期間Ｔ４において、ランプ用電源３０の出力が７５％に達する前に、速いタイミングでファン回転数を１８６６ｒｐｍまで低下させることができる。このような制御により、モード切り替え時のランプ３１の温度をほぼ最適温度Ｔで維持することができる。【０１１７】
本実施形態の画像表示装置においては、モード切り替えに応じて、映像処理部１２にて映像振幅を増減する制御が行われる。このため、映像信号の振幅が増大された７５点灯モードでの動作中に、ヒストグラムの高階調側の割合が閾値を超えたことが検出された場合は、映像の白レベル側が飽和する状態になるため、できるだけ早くランプ電源３０の出力を上げて、映像信号の振幅を減少させる必要がある。【０１１８】
上記のことを考慮し、本実施形態では、以下に説明するような第１および第２のランプ／ファン制御が実行される。【０１１９】
図６は、第１のランプ／ファン制御を説明するための図である。図６において、映像判定のタイミングを示す図、ランプ電力制御のタイミングを示す図、ファン回転数制御のタイミングを示す図が上から順番に並べて記載されている。なお、映像判定のタイミングを示す図は、説明を簡単にするために矩形的な変化を示すようなものとして模式的に記載したものであり、実際の変化とは異なる。【０１２０】
図６を参照すると、時刻ｔ１までの期間は、７５％点灯モードとされ、ランプ用電源３０の出力は最大電力の７５％とされ、ファン４１nの回転数は１８６６ｒｐｍとされている。また、映像信号の振幅は第２の振幅値とされている。【０１２１】
時刻ｔ１において、映像判定部１２ａにてヒストグラムの高階調部分の割合が閾値を超えたことが検出されると、ランプ用電源３０の出力は一定の割合で増大する。【０１２２】
ランプ用電源３０の出力が１００％に達する前に、時刻ｔ２において、映像判定部１２ａにてヒストグラムの高階調部分の割合が閾値を下回ったことが検出されるが、ランプ用電源３０の出力はそのまま一定の割合で増大し、時刻ｔ３で、１００％に達する。【０１２３】
時刻ｔ３において、ランプ用電源３０の出力が１００％に達すると、映像信号の振幅が第１の振幅値まで減少する。【０１２４】
時刻ｔ１から時刻ｔ３までの期間において、第１のテーブルを参照したファン制御が行われる。このファン制御では、ファン４１nの回転数は１８６６ｒｐｍから４７６４ｒｐｍまで一定の割合で上昇する。そして、一定期間、ファン４１nの回転数は４７６４ｒｐｍで維持された後、３９７０ｒｐｍまで一定の割合で低下する。【０１２５】
時刻ｔ３から時刻ｔ４までの期間（３０秒）において、ランプ用電源３０の出力は、１００％から７５％に一定の割合で減少する。また、この期間において、第２のテーブルを参照したファン制御が行われる。このファン制御では、ファン４１nの回転数は３９７０ｒｐｍから１８６６ｒｐｍまで一定の割合で減少し、その後、ファン４１nの回転数は１８６６ｒｐｍで維持される。【０１２６】
時刻ｔ４において、ランプ用電源３０の出力が７５％に達すると、映像信号の振幅が第２の振幅値まで増大する。【０１２７】
上記の第１のランプ／ファン制御によれば、高階調部分の割合が閾値を超えて７５点灯モードから通常モードに切り替わる際に、ランプ電源３０の電力が１００％に達する前に、高階調部分の割合が閾値を下回ったことが検出されても、そのまま、ランプ電源３０の電力が増大して１００％に達する。そして、映像信号の振幅が第１の振幅値まで減少する。すなわち、７５点灯モードでの動作中に、ヒストグラムの高階調側の割合が閾値を超えたことが検出された場合は、必ず、ランプ電源３０の出力が１００％に達して映像信号の振幅が第１の振幅値まで減少する。これにより、映像の白レベル側が飽和することを抑制することができる。【０１２８】
図７は、第２のランプ／ファン制御を説明するための図である。図７において、映像判定のタイミングを示す図、ランプ電力制御のタイミングを示す図、ファン回転数制御のタイミングを示す図が上から順番に並べて記載されている。なお、映像判定のタイミングを示す図は、説明を簡単にするために矩形的な変化を示すようなものとして模式的に記載したものであり、実際の変化とは異なる。【０１２９】
図７を参照すると、時刻ｔ３までは前述の図４に示した動作と同じである。【０１３０】
時刻ｔ２から時刻ｔ３までの期間Ｔ３は、通常モードとされ、ランプ用電源３０の出力は１００％とされ、ファン４１nの回転数は３９７０ｒｐｍとされている。この場合の映像信号の振幅は第１の振幅値とされている。【０１３１】
時刻ｔ３において、映像判定部１２ａにて、ヒストグラムの高階調部分の割合が閾値を下回ったことが検出されると、ランプ用電源３０の出力は一定の割合で減少する。【０１３２】
ランプ用電源３０の出力が７５％に達する前に、時刻ｔ４において、映像判定部１２ａにてヒストグラムの高階調部分の割合が閾値を超えたことが検出されると、ランプ用電源３０の出力は一定の割合で増大し、ある時刻で１００％に達する。【０１３３】
時刻ｔ３から時刻ｔ４の期間において、第２のテーブルを参照したファン制御が行われる。時刻ｔ４からランプ用電源３０の出力が１００％に達する期間において、第１のテーブルを参照したファン制御が行われる。【０１３４】
上記の第２のランプ／ファン制御によれば、高階調部分の割合が閾値を下回って通常モードから７５点灯モードに切り替わる際に、ランプ電源３０の電力が７５％に達する前に、高階調部分の割合が閾値を超えたことが検出された場合は、ランプ電源３０の電力を一定の割合で増大するランプ制御が行わるとともに、第１のテーブル参照したファン制御が行われる。通常モードから７５点灯モードに切り替わる際は、映像信号の振幅は減少した状態になっているので、映像の白レベル側が飽和する問題は生じない。【０１３５】
次に、ヒストグラムを用いた映像判別について簡単に説明する。【０１３６】
図８は、２５６階調の画像データのヒストグラムの一例を示す模式図である。横軸に、階調番号０〜２５５をとり、縦軸に累積輝度値（画素の個数に対応する）をとっている。１フレーム分の画像の各画素の輝度値を階調番号０〜２５５の番号毎に振り分けることで、図８に示すような輝度値の分布を得る。階調番号２５１〜２５５の５階調の部分に対応する画素部分の画像全体の割合が閾値（例えば２％）以下である場合に、映像信号が暗い画像を示すと判定し、割合が閾値を超える場合に、映像信号が明るい画像を示すと判定する。このような映像判定をフレーム単位に行う。【０１３７】
以上説明した各実施形態の画像表示装置は、本発明の一例であり、その構成および動作については、発明の趣旨を逸脱しない範囲で、当業者が想到し得る変更を適用することができる。例えば、映像判定を行うときの閾値を複数にしてもよい。【０１３８】
本発明は、高圧水銀灯等の光源を備え、この光源からの光を空間的に変調して画像が表示される画像表示装置全般に適用することができる。具体的には、本発明は、液晶ディスプレイやプロジェクタに適用することができる。
【図１】
0005455275.tif 000002
【図２】
0005455275.tif 000003
【図３】
0005455275.tif 000004
【図４】
0005455275.tif 000005
【図５】
0005455275.tif 000006
【図６】
0005455275.tif 000007
【図７】
0005455275.tif 000008
【図８】
0005455275.tif 000009